(57)【特許請求の範囲】
【請求項１】
シャッタレリーズ時にシャッタ駆動制御不良を判定するシャッタ判定部と、
シャッタ判定部がシャッタ駆動制御不良と判定したとき次のレリーズを禁止するレリーズ禁止部と、
裏蓋が閉じられたことを検出する裏蓋閉動作検出部と、
裏蓋閉動作検出部が裏蓋閉を検出したときフイルムを最初の撮影駒にセットする前にシャッタリセットを実行するシャッタリセット部と、を有し、
上記レリーズ禁止部は、シャッタリセット後シャッタ判定部がシャッタ駆動制御不良と判定した場合はフイルムを最初の撮影駒にセットしないことを特徴とするカメラのシャッタ制御装置。
【請求項２】
シャッタレリーズ時にシャッタ駆動制御不良を判定するシャッタ判定部と、
シャッタ判定部がシャッタ駆動制御不良と判定したとき次のレリーズを禁止するレリーズ禁止部と、
裏蓋が閉じられたことを検出する裏蓋閉動作検出部と、
裏蓋閉動作検出部が裏蓋閉を検出したときフイルムを最初の撮影駒にセットする前にシャッタリセットを実行するシャッタリセット部と、を有し、
上記レリーズ禁止部は、シャッタリセット後再度シャッタ判定部がシャッタ駆動制御不良と判定した場合はフイルムを最初の撮影駒にセットすることなくフイルムセット不良を表示するカメラのシャッタ制御装置。
【発明の詳細な説明】
【０００１】
【産業上の利用分野】
本発明は、シャッタ駆動制御不良時の処理を的確に行うことができるカメラのシャッタ制御装置に関する。
【０００２】
【０００３】
【従来の技術】
シャッタが正常に作動しないときフイルム巻き上げを禁止するなどの誤動作を防止するようにしたカメラがある。特開昭５５−５３３１９号公報記載のものはその一つで、シャッタを閉じる電磁石が作動しないことを検出してシャッタレリーズ給電保持回路のリセットを禁止することにより、電気シャッタカメラの電気的及び機械的故障による誤動作を防止するようにしたものである。特開平２−２８２７３５号公報記載のものは別の例で、シャッタ誤動作を検出したとき、そのときの撮影駒のフイルム巻き上げを禁止し、シャッタ誤動作が解除された直後に誤動作発生時の撮影駒のフイルム巻き上げを行うようにしたものである。
【０００４】
【０００５】
【０００６】
【０００７】
【発明が解決しようとする課題】
シャッタ駆動制御不良を検出してシャッタレリーズを禁止するカメラは、上記特開昭５５−５３３１９号公報及び特開平２−２８２７３５号公報にもあるとおり、よく知られている。しかし、シャッタ駆動制御不良検出後、シャッタレリーズ禁止を解除する手段及びシャッタレリーズ禁止解除のタイミングについては知られていない。なぜなら、フイルムがカメラ内に装填されているため、シャッタレリーズ禁止を解除したくてもできないからである。
【０００８】
そこで本発明は、シャッタ駆動制御不良が発生したときは、その後フイルムをカメラに装填して最初の撮影駒にセット（以下、ファーストフレームセットの略である「ＦＦセット」という）前にシャッタ駆動を行うことにより、シャッタ駆動制御不良解除の可能性を探り、シャッタ駆動制御不良が解除された場合はそのまま通常の動作を行うようにし、シャッタ駆動制御不良が解除されない場合はＦＦセットすることなくフイルムセット不良を表示するようにしたカメラのシャッタ制御装置を提供することを目的とする。
【０００９】
【００１０】
【００１１】
【００１２】
【課題を解決するための手段】
請求項１記載の発明は、シャッタレリーズ時にシャッタ駆動制御不良を判定するシャッタ判定部と、シャッタ判定部がシャッタ駆動制御不良と判定したとき次のレリーズを禁止するレリーズ禁止部と、裏蓋が閉じられたことを検出する裏蓋閉動作検出部と、裏蓋閉動作検出部が裏蓋閉を検出したときフイルムをＦＦセットする前にシャッタリセットを実行するシャッタリセット部とを有し、レリーズ禁止部は、シャッタリセット後シャッタ判定部がシャッタ駆動制御不良と判定した場合はフイルムを最初の撮影駒にセットしないことを特徴とする。
請求項２記載の発明のように、レリーズ禁止部は、シャッタリセット後再度シャッタ判定部がシャッタ駆動不良と判定すればフイルムを最初の撮影駒にセットすることなくフイルムセット不良を表示するようにしてもよい。
【００１３】
【００１４】
【００１５】
【作用】
請求項１記載の発明では、シャッタレリーズ時にシャッタ判定部がシャッタ駆動制御不良と判定すると、レリーズ禁止部が次のレリーズを禁止する。その後、フイルムを装填するなどして裏蓋が閉じられたことを検出すると、フイルムの最初の駒（ファースト・フレーム：ＦＦ）にセットする前にシャッタリセット部がシャッタリセットを実行する。シャッタリセットの結果、シャッタ判定部がシャッタ駆動制御不良と判定しなければ、シャッタが正常に回復したものと判断し、通常の撮影を行うことができる。シャッタ判定部がシャッタ駆動制御不良と判定すれば、フイルムは最初の撮影駒にセットされない。
【００１６】
請求項２記載の発明では、シャッタリセットの結果、シャッタ判定部が再度シャッタ駆動制御不良と判定した場合、フイルムをファースト・フレームにセットすることなくフイルムセット不良を表示する。
【００１７】
【００１８】
【実施例】
以下、図面を参照しながら本発明にかかるカメラのシャッタ制御装置の実施例について説明する。図１は、本発明の実施例に用いられる回路の電装ブロックを示しており、主にＣＰＵ１とインターフェース（以下「ＩＦ」という）ＩＣ２０により構成されている。ＣＰＵ１には電池２からＤＣ−ＤＣコンバータ３を介して一定電圧の電源が供給される。ＣＰＵ１にはリセットＩＣ４、リモコンＩＣ５、測光データを入力するＡＥＩＣ６、測距データを入力するＡＦＩＣ７、デート写し込み用ＬＥＤ８、クロック発振器９、ストロボ発光器１１、外部液晶表示素子（以下液晶表示素子は「ＬＣＤ」という）１２、レリーズボタンに連動する操作スイッチ１３、ファインダ表示ＬＣＤ１４のドライバ１５、各種調整値等を記憶するＥＥＰＲＯＭ１６、調整や検査時に使用するパソコン１０が接続されている。
【００１９】
上記ＩＦＩＣ２０は、定電圧制御トランジスタ２４を制御してその定電圧出力を制御する。ＩＦＩＣ２０には、合焦レンズ等を駆動するパルスモータ２２の定電圧ドライバ２１、表示ＬＥＤ２３、ズームモータ３２及びフイルム給送モータ３３のドライバ３１、シャッタ３５のドライバ３４、セルフタイマ動作その他各種の表示を行うランプ３７のドライバ３６、シャッタ動作その他各部の動作を検出するホトリフレクタ（ＰＲ）及びホトインタラプタ（ＰＩ）３８、フイルム感度その他フイルムに関する各種データをフイルムパトローネの接点から検知するＤＸスイッチ３９が接続されている。
【００２０】
ＣＰＵ１は、リセットＩＣ４によりリセットされると、ＤＣ−ＤＣコンバータ３を起動して、例えば５Ｖの定電圧を各ＩＣに供給する。各ＩＣは動作時以外は消費電流が少ないパワーセーブ機能を内蔵している。ＩＦＩＣ２０はＣＰＵ１からのシリアル通信データによりコントロールされる。ＣＰＵ１は、操作スイッチ１３の動作を定期的に検出し、レリーズボタンが押されたと判断した場合は、ＡＥＩＣ６より測光データを、ＡＦＩＣ７より測距データを取り込み、ストロボ発光器１１の充電電圧のチェック、外部ＬＣＤ１２、ファインダＬＣＤ１４、表示ＬＥＤ２３による所定の表示を行い、パルスモータ２２を駆動して測距データから得られる所定位置まで合焦レンズを繰り出した後、シャッタ開閉制御を行う。
【００２１】
シャッタ開閉制御は、ＣＰＵ１からのシリアル通信データに基づき、ＩＦＩＣ２０で定電圧制御トランジスタ２４の動作を制御してシャッタ駆動電圧を設定し、また、シャッタからの反射光を検出することによりシャッタの動作を検出するホトリフレクタ（以下「ＰＲ」という）信号を処理することによって行われる。シャッタ制御時に、被写体輝度が低輝度である場合などには、ストロボ１１がシャッタの動作に合わせて発光する。ストロボ発光は、発光タイミングによる制御すなわちシャッタが開く途中の適宜の開口値で発光させる前記ＦＭ制御と、発光時間を制御して適正露光にする前記ＧＮＯ制御と、これらＦＭとＧＮＯ制御を組み合わせた制御とがあり、これによって適正露光となるようにしている。
【００２２】
図１において、ＩＦＩＣ２０の一部、定電圧制御トランジスタ２４、定電圧ドライバ２１、パルスモータ２２を含む部分は、フォーカス駆動電圧、フォーカスホールド時のホールド電圧、シャッタ駆動時の駆動電圧を設定する電圧設定部４０を構成している。この電圧設定部４０の具体例を図２に示す。図２において、パルスモータ２２はフォーカスレンズを駆動する。シャッタは図示されない電磁式プランジャ等によって駆動される。定電圧制御トランジスタ２４の出力は定電圧ドライバ２１を経てパルスモータ２２に供給される。ＩＦＩＣ２０は、そのＶＳＥＮＳ端子に入力された定電圧制御トランジスタ２４の出力電圧が前記ＣＰＵ１の設定電圧と一致するように、ＶＣＯＮＴ端子から制御信号を出力して定電圧制御トランジスタ２４を制御する。ＩＦＩＣ２０のＦＰＭＶ端子は定電圧ドライバ２１の出力電圧切換信号を出力する端子で、「Ｌ」の時は、定電圧ドライバ２１を機能させ、基準電圧を抵抗Ｒ１と抵抗Ｒ２の比率によって分圧した定電圧でパルスモータ２２を駆動し、「Ｈ」の時は、定電圧ドライバ２１を機能させることなく、定電圧制御トランジスタ２４の定電圧出力でパルスモータ２２を駆動する。ＩＦＩＣ２０のＦＰＭ０ないしＦＰＭ３端子はパルスモータ２２を駆動制御するためのパルス制御出力端子である。
【００２３】
次に、本発明に用いられる各種ＲＯＭテーブルの例について説明する。図１０は、シャッタ秒時・Ｆ値ＲＯＭテーブルの例を示す。シャッタ秒時ＲＯＭテーブルは、ＥＶ３．５から１７（シャッタ秒時：約１．４秒から１／４００秒）のとき、ＡＥＳＴＥＰを６０から１６８にし、これをＲＯＭＳＴＥＰすなわちＲＯＭのアドレスをＡＥＳＴＥＰから６０引いた値０から１０８に対応させている。従って、ＲＯＭＳＴＥＰは０．１２５ＥＶステップになっている。また、Ｆ値ＲＯＭテーブルは、シャッタ秒時ＲＯＭテーブルで、ＥＶ３．５から１７のとき、ＡＶ４から１０（Ｆ値：約４から３２）に対応させ、そのときのＦＭＳＴＥＰを０から２４に対応させている。従って、ＦＭＳＴＥＰは０．２５ステップになっている。このように、ＡＥＳＴＥＰをＲＯＭＳＴＥＰに一定の関係で対応させ、ＲＯＭＳＴＥＰを選択することによりシャッタ秒時とＦ値及びＦＭＳＴＥＰが得られるようにＲＯＭテーブルが準備されている。
【００２４】
図１１（ａ）は、ＳＹＳＴＥＰ表すなわちストロボ発光制御時のＦＭＳＴＥＰとＧＮＯＳＴＥＰの組み合わせ例を示す。ＳＹＳＴＥＰは０から３８まであるが、ＳＹＳＴＥＰ０から４まではＦ値が解放の４．００から５．６６までで、この間のＧＮＯは１６．００のフル発光でストロボＦＭ制御のみが行われる。また、この間のＦＭＳＴＥＰは０から４である。ＳＹＳＴＥＰ５から２８まではＦ値が解放の４．００から１段（１ＥＶ分）落ちた５．６６で変わらず、ＧＮＯは１４．６７から２．００まででこの間のＧＮＯＳＴＥＰを１から２４としてストロボＧＮＯ制御を行うとともに、ＦＭＳＴＥＰを４に固定してストロボＦＭ制御を１段のみ組み合わせるようになっている。ＳＹＳＴＥＰ２９から３８まではＦ値が６．１７から１３．４５までで、この間のＧＮＯは２．００、ＧＮＯＳＴＥＰは２４に固定され、ＦＭＳＴＥＰは５から１４に設定され、ストロボＧＮＯ制御とストロボＦＭ制御が組み合わせられるようになっている。
【００２５】
図１１（ｂ）はＦＭＲＯＭテーブルの例を示すもので、ＡＶ４から７．５（Ｆ値：約４から１３）をＦＭＳＴＥＰを０から１４で表している。図１１（ｃ）はＧＮＯＲＯＭテーブルの例を示すもので、ＧＮＯ１６から２をＧＮＯＳＴＥＰ０から２４で表している。以上説明した図１０、図１１に示すテーブルは、レンズの解放絞り値、ストロボ発光器のフル発光時のＧＮＯ．その他各種設計条件によって異なる。
【００２６】
次に、本発明装置の動作の具体例について説明する。まず、図１２に示すタイミングチャートを参照しながらシャッタ作動中のフォーカスホールド動作について説明する。図１２において、ＰＩは、図１に示すホトリフレクタ（ＰＲ）及びホトインタラプタ（ＰＩ）３８からＩＦＩＣ２０に入力されるシャッタやフイルム給送機構その他各部の動作信号である。ＭＡＧはシャッタレリーズ用マグネット駆動信号、ＳＹはストロボ発光信号である。レリーズボタンの押し下げによって図１に示す操作スイッチ１３が動作すると、ＩＦＩＣ２０の各端子ＦＰＭ０ないしＦＰＭ３から測距データに応じた数のパルス信号が出力され、これらのパルス信号に応じてパルスモータ２２が駆動され、フォーカスレンズが繰り出されて被写体へのフォーカスが行われる。この各端子ＦＰＭ０ないしＦＰＭ３から出力される各パルス信号は、パルスモータ２２を正転させるように位相がずらされている。フォーカス駆動の間ＦＰＭＶ信号は「Ｈ」となっていて、定電圧ドライバ２１は定電圧制御トランジスタ２４の定電圧すなわち比較的高い電圧でパルスモータ２２を駆動する。
【００２７】
レンズ繰り出しによって合焦した後上記ＭＡＧ信号が出力されてシャッタが開閉動作する。シャッタの開閉動作は、ＰＩ信号の反転によって検出することができる。また、レンズ繰り出しによって合焦した後は、パルスモータ２２に一定電圧が通電されてフォーカスレンズによるフォーカス位置がホールドされるが、このとき上記ＦＰＭＶ信号が「Ｌ」となって、定電圧ドライバ２１が機能し、パルスモータ２２へは上記フォーカス駆動時の駆動電圧よりも低いホールド電圧が供給される。上記ホールド電圧は上記シャッタ駆動時の電圧と同じ電圧に設定されていてもよい。
【００２８】
シャッタの開閉動作後、ＩＦＩＣ２０の上記各端子ＦＰＭ０ないしＦＰＭ３からパルス信号を出力し、パルスモータ２２を駆動してフォーカスレンズを原点まで戻す。このとき各端子ＦＰＭ０ないしＦＰＭ３から出力される各パルス信号は、パルスモータ２２を逆転させるように位相がずらされている。フォーカスレンズの上記原点とは、フォーカスレンズの全移動ストロークの一端側のことである。続いて上記各端子ＦＰＭ０ないしＦＰＭ３から一定数のパルス信号を出力し、パルスモータ２２を正転させ、フォーカスレンズを基準位置まで繰り出させる。このように、フォーカスレンズを原点まで移動させた後基準位置まで繰り出させることにより、フォーカス時のレンズ移動に無駄な部分をなくすことができ、フォーカスに要する時間を早めることができる。上記フォーカスレンズの原点までの戻し駆動及び基準位置までの繰り出し駆動の間は、ＦＰＭＶ信号は「Ｈ」となって比較的高い電圧でパルスモータ２２を駆動する。なお、フォーカスレンズが原点あるいは基準位置に至ったことの検出は、ＰＩ信号が出力されることによって行うことができる。
【００２９】
図３ないし図７は、上記フォーカスホールド動作を含むレリーズシーケンスフローチャートである。図３において、レリーズされると、ストロボ発光フラグＳＴＢＦが１であるかどうかを判定し、１の場合すなわちストロボ発光の場合は赤目軽減フラグＡＫＡＭＥＦが１かどうか判定し、１の場合すなわち赤目軽減フラグが立っている場合は赤目軽減タイマを設定しスタートさせ、ストロボ赤目軽減発光を行う。上記ＳＴＢＦが立たず、またＡＫＡＭＥＦが立たない場合及びストロボ赤目軽減発光後、ＡＦＬＥＤすなわち測距表示ＬＥＤ、ＳＴＬＥＤすなわちストロボＬＥＤ、ＦＬＣＤすなわちファインダ測距表示ＬＣＤを消灯させる。次に、ＰＤＯＮ＿Ｓすなわちフォーカス駆動電圧設定、ＬＥＮＦ＿Ｓすなわちフォーカス繰り出し駆動、ＰＭＨＯＬＤ＿Ｓすなわちシャッタ駆動時のフォーカスホールド電圧設定（図４参照）を順に行う。
【００３０】
図５は、上記フォーカス駆動電圧設定ＰＤＯＮ＿Ｓのサブルーチンを示す。図５において、前記電圧設定部４０がＩＦＩＣ２０のＦＰＭＶ（図２参照）を１としてフォーカス駆動電圧を設定し、フォーカスレンズがフォーカス位置まで移動してフォーカスフォトインタラプタ（ＰＩ）がオンすることによりフォーカスホールド駆動し、このルーチンを終了する。図６は、上記シャッタ駆動時のフォーカスホールド電圧設定ＰＭＨＯＬＤ＿Ｓのサブルーチンを示す。図６において、ＦＰＭＶを０としてホールド電圧を設定する。前述の通り、フォーカスホールド電圧はフォーカス駆動電圧よりも低い電圧に設定されている。ホールド電圧は上記シャッタ駆動時の電圧と同じ電圧に設定されていてもよい。その後シャッタを駆動するためにシャッタ駆動電圧を設定すると、図２ではシャッタ駆動電圧が定電圧ドライバ２１を経てパルスモータ２２にはシャッタ電圧（フォーカス電圧）より低いホールド電圧が設定される。例えばフォーカス駆動電圧を５Ｖ、シャッタ駆動電圧を２．５Ｖで駆動できるように設計すれば、定電圧ドライバ２１を定電圧機能のないドライバとすることでシャッタ駆動時にホールド電圧は２．５Ｖとなり、フォーカス電圧より低い電圧でしかもシャッタ駆動電圧に等しい電圧となる。シャッタの動作を検出するＰＲ信号を検出するために、フォーカスフォトインタラプタをオフする。
【００３１】
図４に戻って、再びストロボ発光フラグＳＴＢＦが１であるかどうかを判定し、１の場合は赤目軽減フラグＡＫＡＭＥＦが１かどうか判定し、１の場合はストロボ充電を開始し、ストロボ充電電圧ＲＯＫがストロボフル充電電圧ＦＣ以上になり、また、赤目軽減時間終了を待ってストロボの充電を終了させ、シャッタを駆動する。このとき上記ＳＴＢＦが１の場合はストロボも発光させる。続いて、前記フォーカス駆動電圧設定ＰＤＯＮ＿Ｓを図５のサブルーチンに従って実行し、フォーカス繰り出し駆動ＬＥＮＦ＿Ｓを実行し、フォーカス駆動オフＰＤＯＦＦ＿Ｓを実行する。フォーカス駆動オフＰＤＯＦＦ＿Ｓは、図７に示すサブルーチンに従って実行される。すなわち、上記ＦＰＭＶを１とした後フォーカス駆動オフ、フォーカス駆動電源をオフ、フォーカスフォトインタラプタをオフとしてこのサブルーチンを終了する。これとともにレリーズシーケンスが終了する。
【００３２】
以上説明したように、シャッタ動作中にフォーカスレンズ駆動用パルスモータに電源が供給されてフォーカスホールドされるため、シャッタ動作中に振動等によってフォーカスレンズに力が加わっても、フォーカスレンズが移動することはない。また、電気的にフォーカスホールドされ、フォーカスホールドのための機構を付加する必要がないから、部品数が少なく簡単な構成でフォーカスホールド機能を付加することができる。そして、フォーカスホールドのためにパルスモータに供給する電源の電圧は、電圧設定部４０によってフォーカス駆動時の駆動電圧とは異なるホールド電圧、より具体的には、フォーカス駆動時の駆動電圧よりも低いシャッタ駆動時の駆動電圧に設定しているため、フォーカスホールド時の消費電力が軽減され、容量の面で条件の厳しいカメラの電源電池にとっては、極めて有効である。
【００３３】
次に、シャッタ駆動制御不良時の動作について図１３を参照しながら説明する。図１３の（ａ）はフイルム装填後の動作を、（ｂ）はフイルム装填時の動作を示す。図１３（ａ）は、フォーカスレンズが繰り出されて被写体に合焦した後ＭＡＧが「Ｈ」となってシャッタが動作し、これに同期してストロボが発光し、シャッタが正常に動作せず、ＰＩが「Ｈ」のままで撮影が正常に行われなかったことを示している。撮影後は前述の通りフォーカスレンズの原点までの戻し動作及び基準位置までの繰り出し動作が行われる。続いて、図１に示す給送モータ３３が駆動され、フイルムが１駒分巻き上げられる。フイルムの１駒分の巻き上げは、フイルムのパーフォレーションを所定数検出するまで、すなわち図１３（ａ）に示すようにパーフォレーション検出によって出力されるＰＩ信号が８個となるまで給送モータ３３を駆動することによって行うことができる。
【００３４】
シャッタ駆動制御不良の場合は、ＭＡＧ信号が「Ｈ」になってもＰＩ信号が「Ｈ」から「Ｌ」に変化しないため、シャッタ判定部がシャッタ駆動制御不良と判定し、次の動作に進むことができず、レリーズ禁止部が次のレリーズを禁止する。ちなみに、シャッタ駆動制御不良の場合、シャッタ開の時にもシャッタ閉の時にもＰＩ信号が反転しないから、何れの場合にもシャッタ駆動制御不良と判断することができる。シャッタ駆動制御不良と判断され次のレリーズが禁止された場合は、裏蓋を開けてフイルムを装填し直す。フイルムを装填して裏蓋を閉じると、これを裏蓋閉動作検出部が検出してシャッタリセット部によりシャッタリセットが実行され、図１３（ｂ）に示すようにバッテリーチェックが行われた後ＭＡＧ信号によりシャッタ開動作が行われる。このときシャッタ駆動制御不良が復帰してシャッタが正常に動作すれば、シャッタ開によってＰＩ信号が「Ｈ」「Ｌ」「Ｈ」と反転し、シャッタが正常に復帰したことがわかるので、次の動作としてこの例では予備巻きすなわち装填されたフイルムをパトローネから引き出して一旦巻き取りリールに巻き取ってしまう動作を行う。その後、フイルムをパトローネ側に巻き取って最初の撮影駒にセット（ＦＦセット）する。仮に、上記裏蓋閉によってもＰＩ信号が反転しなければ、シャッタ駆動制御不良と判断することができるので、予備巻き及びこれに続くＦＦセットを禁止する。また、このときフイルムセット不良であることを表示する。
【００３５】
図８に示す裏蓋開閉時の動作ＵＲＡＣ＿Ｓフローチャートを用いて、シャッタ駆動制御不良時に裏蓋開閉動作をした場合の処理を説明する。図８において、裏蓋が開閉されると、まずシャッタ判定部でシャッタ駆動不良（ＮＧ）フラグＳＮＧＦが立つかどうかを判定する。ＳＮＧＦが立った場合（ＳＮＧＦ＝１の場合）は、図１０について説明したＡＥＳＴＥＰをＬＯＷＥＶに設定する。ＬＯＷＥＶとは、これ以上被写体輝度が低くなるとシャッタ秒時が手振れを生じる長時間秒時となるＥＶ値のことで、ＡＥＳＴＥＰがＬＯＷＥＶ以上であれば、短時間秒時となる。ＡＥＳＴＥＰをＬＯＷＥＶに設定すると同時にＳＴＢＦ＝０すなわちストロボ発光しないと設定し、ＡＥ３＿Ｓでシャッタ駆動を実行する。シャッタ駆動を実行した結果、ＳＮＧＦが立たなければ予備巻きを実行し、再びＳＮＧＦが立てば予備巻き失敗を表示して動作を終了する。
【００３６】
一旦シャッタ駆動制御不良となって次のレリーズが禁止されても、シャッタをリセットして再びシャッタ開閉動作を行わせてみると、シャッタが回復して正常に動作することがあるので、上記の例では、裏蓋開閉動作検出部が裏蓋閉を検出したとき、フイルムを最初の撮影駒にセットする前にシャッタリセット部によってシャッタリセットを実行し、シャッタリセット後シャッタ判定部が再びシャッタ駆動制御不良と判定して初めてフイルムセット不良を表示し、再びシャッタ駆動制御不良と判定しなければ通常の動作に移行するようにした。
【００３７】
次に、ストロボ発光制御演算動作を、図９を参照しながら説明する。レリーズスイッチが押されると、ストロボ発光制御演算動作ＦＭＳＴＥＰＣが実行され、まずシャッタ秒時設定部が測光データに基づきシャッタ秒時を設定し、次に、Ｆ値選定部が、図１０に示すＲＯＭテーブルから上記シャッタ秒時と組み合わせられるＦ値のＡＥＳＴＥＰを選定し、このＡＥＳＴＥＰがシャッタ秒時高低判定値ＦＭ＿ＥＶ以上であるかどうか、換言すれば、Ｆ値選定部で求めたＦ値がシャッタ開放値（図示の例では４．００である）に近いかどうか判定する。ここでは例えばＦＭ＿ＥＶを図１０のテーブルで１２４ステップ目、ＥＶ１１．５に設定している。シャッタが開放値になる場合すなわちシャッタ低速秒時の場合は、ＦＭＳＴＥＰ＿ＬＯとし、シャッタが開放値にならない場合すなわちシャッタ高速秒時の場合は、ＦＭＳＴＥＰ＿ＨＩとする。
【００３８】
シャッタ低速秒時の場合は、ストロボ露出計算値ＳＹＳＴＥＰとストロボ露出補正値ＦＭＳＨＩＦＴを図１１に示すテーブルから選択し、レジスタＡにＳＹＳＴＥＰ−ＦＭＳＨＩＦＴを入力し、次にＳＹＳＴＥＰがＦＭＳＨＩＦＴ以上であるかどうかを判定する。実施例ではＦＭＳＨＩＦＴ＝１６と設定した。ＳＹＳＴＥＰがＦＭＳＨＩＦＴ以下であれば、ストロボＦＭ制御値ＦＭＳＴＥＰ＝０、ストロボＧＮＯ制御値ＧＮＯＳＴＥＰ＝０と設定し、図１１（ｂ）（ｃ）の各０ステップでストロボＦＭ制御部及びストロボＧＮＯ制御部がストロボを発光制御する。ＳＹＳＴＥＰがＦＭＳＨＩＦＴ以上であれば、図１１のテーブルからＳＹＳＴＥＰが５以上であるかどうかを判断する。ＳＹＳＴＥＰが５以下であれば、ストロボＦＭ制御値ＦＭＳＴＥＰ＝Ａ、ストロボＧＮＯ制御値ＧＮＯＳＴＥＰ＝０と設定し、ストロボをフル発光させてＦＭ制御のみを行う。上記ＳＹＳＴＥＰが５以上であれば、次にＳＹＳＴＥＰが２８以上であるかどうかを判断する。ＳＹＳＴＥＰが２８以下であれば、図１１（ａ）のテーブルに従い、ＦＭＳＴＥＰ＝４、ＧＮＯＳＴＥＰ＝ＳＹＳＴＥＰ−４と設定し、Ｆ値を開放値から１段絞った値に設定してストロボＦＭ制御とストロボＧＮＯ制御の組み合わせで制御する。上記ＳＹＳＴＥＰが２８以上であれば、図１１（ａ）のテーブルに従い、ＦＭＳＴＥＰ＝ＳＹＳＴＥＰ−２４、ＧＮＯＳＴＥＰ＝２４と設定し、ストロボＦＭ制御とストロボＧＮＯ制御の組み合わせで制御する。
【００３９】
次に、シャッタ高速秒時の場合すなわちシャッタが開放Ｆ値又はこれに近いＦ値にならない場合は、シャッタ露出計算値ＡＥＳＴＥＰとシャッタ高速秒時でのストロボ発光適正露出調整値ＦＭ＿ＥＶ＿Ｙを求めてその差ＡＥＳＴＥＰ−ＦＭ＿ＥＶ＿ＹをレジスタＡに入力し、次にＡが０以上であるかどうかを判定する。実施例ではＦＭ＿ＥＶ＿Ｙ＝６０である。Ａが０以下であればＡ＝０（すなわち、図１１（ｂ）において開放Ｆ値の４．００となる）とおいてレジスタＸに入力する。Ａが０以上であれば、次にＡが１０８より大きいかどうか判定し、Ａが１０８より大きい場合はＡ＝１０８としてレジスタＸに入力し、Ａが１０８より小さい場合はＡの値をレジスタＸに入力する。以上の演算は、Ｆ値判定部によって行われる。
【００４０】
次に、レジスタＹをＹ＝ＲＯＭ［ＥＶＴＯＦ＿ＴＢＬ＋Ｘ］とおく。ここで、ＥＶＴＯＦ＿ＴＢＬは、シャッタ秒時からＦＮＯ．を求める図１０に示すテーブルの先頭ＲＯＭアドレスのことである。次に、レジスタＡをＡ＝ＳＹＳＴＥＰ−ＦＭＳＨＩＦＴとし、このＡの値が０以上かどうかを判定する。このＡの値が０以下の場合はＲＯＭアドレスが存在しないからＦＭＳＴＥＰもＧＮＯＳＴＥＰも０に設定し、図１１（ｂ）（ｃ）に示す各ＲＯＭテーブルの０ステップに従い、ストロボＦＭ制御とストロボＧＮＯ制御の組み合わせで撮影を行う。一方、上記Ａが０以上の場合はレジスタＡをＡ−Ｙとおき、このときのレジスタＡの値が０以下の場合はＲＯＭアドレスが存在しないから上記のようにＦＭＳＴＥＰもＧＮＯＳＴＥＰも０に設定してストロボＦＭ制御とストロボＧＮＯ制御の組み合わせで撮影を行う。上記Ａが０以上の場合は、図１１（ｃ）に示すＧＮＯテーブルが２４ステップまでしかないからＡが２４以上の場合はＡを２４に設定し、Ａが２４以下の場合はその値にＡを設定し、ＦＭＳＴＥＰを０、ＧＮＯＳＴＥＰをＡとして、ＦＭ制御とストロボＧＮＯ制御の組み合わせで撮影を行う。このようなストロボによる撮影は、シャッタ動作波形の山頂において行われる。
【００４１】
このように、ガイドナンバー演算部でストロボガイドナンバーを演算するに当たり、シャッタ秒時設定部によって設定されたシャッタ秒時から、予め用意されたＲＯＭテーブルを用いてそのときのＦ値を求め、このＦ値とフイルム感度と測距データに基づいてストロボガイドナンバーを演算するようにしたため、迅速に演算することができる。また、上記テーブルからシャッタ秒時に対応するＦ値を検出し、検出したＦ値に基づいてＧＮＯ制御演算を行うようにしたため、レンズシャッタカメラにおいて日中シンクロによるＧＮＯ制御を行った場合でも、適正露光による撮影が可能になった。
【００４２】
【発明の効果】
請求項１記載の発明では、シャッタレリーズ時にシャッタ判定部がシャッタ駆動制御不良と判定すると、レリーズ禁止部が次のレリーズを禁止し、その後、フイルムを装填するなどして裏蓋が閉じられたことを検出すると、フイルムの最初の駒にセットする前にシャッタリセット部がシャッタリセットを実行する。シャッタリセットの結果、シャッタ判定部がシャッタ駆動制御不良と判定しなければ、通常の撮影を行うことができる。シャッタ判定部がシャッタ駆動制御不良と判定すれば、フイルムは最初の撮影駒にセットされない。
【００４３】
請求項２記載の発明では、シャッタリセット後シャッタ判定部が再度シャッタ駆動制御不良と判定した場合はフイルムセット不良を表示するため、この表示によって適切な処置をとることができる。
【００４４】
【００４５】
【図面の簡単な説明】
【図１】本発明にかかるカメラのシャッタ制御装置の実施例を示すブロック図である。
【図２】上記実施例中の電圧設定部の具体例を示す回路図である。
【図３】本発明装置のフォーカスホールド動作の例を示すフローチャートである。
【図４】図３に示す動作に続く動作を示すフローチャートである。
【図５】上記の動作の中でフォーカス駆動電圧設定動作の例を示すフローチャートである。
【図６】上記の動作の中でフォーカスホールド電圧設定動作の例を示すフローチャートである。
【図７】上記の動作の中でフォーカスオフ動作の例を示すフローチャートである。
【図８】本発明装置の裏蓋開閉時の動作の例を示すフローチャートである。
【図９】本発明装置のストロボ発光制御演算動作の例を示すフローチャートである。
【図１０】本発明装置に用いることができるシャッタ秒時・Ｆ値ＲＯＭテーブルである。
【図１１】本発明装置に用いることができるＳＹＳＹＥＰ表、ＦＭ及びＧＮＯＲＯＭテーブルである。
【図１２】本発明装置のレンズ駆動及びフォーカスホールド電圧設定動作の例を示すタイミングチャートである。
【図１３】本発明装置のシャッタ駆動制御不良時の動作を説明するためのタイミングチャートである。
【符号の説明】
１    中央処理ユニット
３５  シャッタ
４０  電圧設定部
【図１】
0003593177.tif 000002
【図２】
0003593177.tif 000003
【図３】
0003593177.tif 000004
【図４】
0003593177.tif 000005
【図５】
0003593177.tif 000006
【図６】
0003593177.tif 000007
【図７】
0003593177.tif 000008
【図８】
0003593177.tif 000009
【図９】
0003593177.tif 000010
【図１０】
0003593177.tif 000011
【図１１】
0003593177.tif 000012
【図１２】
0003593177.tif 000013
【図１３】
0003593177.tif 000014